(57)【要約】  本発明は、注射用薬液等の液体を収納した容器をゴム栓等のシール材で密封し、その開口部とシール材とをキャップで覆うようにした容器のキャップ構造の改良に関する。本発明の容器のキャップ構造は、バイアル瓶等のキャップが、キャップ上壁面の一部で上向きに突設されて上面が開口した中空の環状周壁部を設けた金属製のキャップ本体と、前記環状周壁部の上端の衝合面に、押圧面を有する押圧面部の裏面が衝合すると共に、押圧本体部が環状周壁部の中空内に固定され、該押圧本体部の下方にシール部材の弾性力に抗してシール部材を押圧する下方突部を有し、少なくとも押圧面部が所定の色に着色された合成樹脂製の押圧部とからなり、前記環状周壁部の外周壁の基部に沿って環状の薄肉部が形成されていることを特徴とする。
2015037156.tif 000002
【特許請求の範囲】
【請求項１】
容器の開口部を密封した弾性を有するシール部材と、該シール部材を覆って開口部に外嵌されるキャップと、該キャップの上壁面で前記シール部材の上面に対応する個所に切離し用の環状の薄肉部を介して一体に形成される切離し用突起部とを設けたバイアル等の容器のキャップ構造において、  キャップが、キャップ上壁面の一部で上向きに突設されて上面が開口した中空の環状周壁部を設けた金属製のキャップ本体と、  前記環状周壁部の上端の衝合面に、押圧面を有する押圧面部の裏面が衝合すると共に、押圧本体部が環状周壁部の中空内に固定され、該押圧本体部の下方にシール部材の弾性力に抗してシール部材を押圧する下方突部を有し、少なくとも押圧面部が所定の色に着色された合成樹脂製の押圧部とからなり、  前記環状周壁部の外周壁の基部に沿って環状の薄肉部が形成されていることを特徴とする容器のキャップ構造。
【請求項２】
環状周壁部に押圧本体部を圧縮して押し込み、環状周壁部の内壁面で押圧本体部を挟圧して固定してなることを特徴とする請求項１に記載の容器のキャップ構造。
【請求項３】
環状周壁部の上部に対して下部が漸次外方へ拡開してなることを特徴とする請求項２に記載の容器のキャップ構造。
【請求項４】
押圧面部の外周が、環状周壁部の外周と同一又は外周より内側に設定されており、薄肉部がキャップ上壁面の上面側に形成されていることを特徴とする請求項１から３のいずれかに記載の容器のキャップ構造。
【請求項５】
押圧面部の外周が、環状周壁部の外周より外側に設定されていることを特徴とする請求項１から３のいずれかに記載の容器のキャップ構造。
【請求項６】
薄肉部がキャップ上壁面の底面側に形成されていることを特徴とする請求項１から３のいずれかに記載の容器のキャップ構造。
【請求項７】
押圧本体部が筒状体からなっていることを特徴とする請求項１から６のいずれかに記載の容器のキャップ構造。
【請求項８】
請求項１から７のいずれかに記載の容器のキャップ構造を備えてなることを特徴とする容器。
【発明の詳細な説明】
【技術分野】
【０００１】  本発明は、注射用薬液等の液体を収納した容器をゴム栓等のシール材で密封し、その開口部とシール材とをキャップで覆うようにした容器のキャップ構造の改良に関する。【０００２】  従来、バイアル瓶等のキャップとして、例えば、特開平６−３１２７５８号の容器の蓋構造では、キャップの上面部に加えられる所定以上の力で切断される一連の環状の薄肉部を形成し、その環状の薄肉部の位置より内側に上面部に対してほぼ直角方向に突出する突出筒部とその突出筒部の先端を覆う押圧用上面部とをその上面部に一体に形成し、その押圧用上面部を密閉栓側に押すことによって前記薄肉部を切断してその切断した薄肉部の内側に位置する部材をキャップから分離し、押圧用上面部を押す力を除いた際に前記キャップから分離した部材を前記弾力性のある密閉栓の突出腕によって密閉栓とは反対方向に反発移動するようにした構造が開示されている。  しかし、上記構成では、円盤部の破断面が突起部破断面とほぼ平行にセリ合う形態で離脱する為に抵抗が大きく離脱ができなかった。  一方、特公平４−７６８７１号の容器用蓋では、作業者が指先に切り傷を負わないように、薄肉部は突出部を折り取った時に裂断された折り口が返りバリを生じないように形成される構成が開示されている。  しかし、上記構成では、突出部を横から押し倒す方法であって、突出部を長くする必要が有り、嵩張るため梱包形態が大きくなる、という不具合がある。  そこで、本出願人は、特許第４９０２８２０号で、キャップ上壁面にシール部材の上面に接して形成される切り離し用の円板部と、該円板部の外周縁となる切り離しガイド用の薄肉部と、前記円板部と一体に突設されて切り離し時に押し付けるための突起部とからなる容器のキャップ構造において、円板部ないし突起部の底部で、突起部の軸線から径方向に離間した位置に下方に突出する１又は複数の突部を設け、該突部はシール部材を反発可能に押し込んだ状態でシール部材上に取り付け密閉したキャップを指で簡単に切り離しシール部材上から取り除くことができるようにして、相応の成果をあげている。  本出願人は、更に鋭意研究を行い、金属製のキャップに着色した樹脂製の押圧部を組み合わせて識別を容易にすると共に、切離された部分の一部がキャップの開口縁部の下に潜り込んで引っ掛かることがなく、確実にキャップから分離させ取り除くことができる構造を創案するに至った。
【先行技術文献】
【特許文献】
【０００３】
【特許文献１】特開平６−３１２７５８号公報
【特許文献２】特公平４−７６８７１号公報
【特許文献３】特許第４９０２８２０号公報
【発明の概要】
【発明が解決しようとする課題】
【０００４】  この発明の解決しようとする課題は、金属製のキャップの上部に着色した樹脂製の押圧部を組み合わせて切離し用突起部を形成して、容器の識別を容易にすると共に、前記切離し用突起部の外周縁下部に沿って切り離しガイド用の薄肉部を形成し、前記樹脂製の押圧部に下向きに突出する突部を設けることで、容器の識別を樹脂製の押圧部の着色により確実に行うことができると共に、切離し用突起部をキャップから切離した際に、離し用突起部の外周壁の下部に外方へ突出するフランジ部分を形成させることなく、指で容易に且つ確実に切離し用突起部をシール部材上から取り除くことができるバイアル等の容器のキャップ構造を提供することにある。
【課題を解決するための手段】
【０００５】  この発明は、容器の開口部を密封した弾性を有するシール部材と、該シール部材を覆って開口部に外嵌されるキャップと、該キャップの上壁面で前記シール部材の上面に対応する個所に切離し用の環状の薄肉部を介して一体に形成される切離し用突起部とを設けたバイアル等の容器のキャップ構造において、  キャップが、キャップ上壁面の一部で上向きに突設されて上面が開口した中空の環状周壁部を設けた金属製のキャップ本体と、  前記環状周壁部の上端の衝合面に、押圧面を有する押圧面部の裏面が衝合すると共に、押圧本体部が環状周壁部の中空内に固定され、該押圧本体部の下方にシール部材の弾性力に抗してシール部材を押圧する下方突部を有し、少なくとも押圧面部が所定の色に着色された合成樹脂製の押圧部とからなり、  前記環状周壁部の外周壁の基部に沿って環状の薄肉部が形成されていることを特徴とする。
【発明の効果】
【０００６】  本発明では、切離し用突起部が、金属製のキャップ本体に一体形成された環状周壁部と、着色された樹脂製の押圧部との組み合わせからなっており、押圧部の底面にシール部材を押圧する下方突部を形成するので、環状周壁部から突出する押圧部の色彩により容器の色分けによる識別が確実にでき、また下方突部はキャップ本体と一体に形成する必要がなく、容器内に内蔵されたシール部材に対応して最適の形状のものを使用することができる。  使用に際しては、指で切離し用突起部を押すことで、下方突部を介して切離し用突起部の外周壁の下部が薄肉部から切断されるので、前記外周壁の下部に外方へ突出するフランジ状の部分を形成させることなく、開口したキャップの口縁部に対して切離し用突起部の外周壁の下部が立ち上がっているので、切離し用突起部の外周壁の下部が前記開口の口縁部の下に入り込む虞れが無い。
【図面の簡単な説明】
【０００７】
【図１】実施例１のキャップ本体の断面図である。
【図２】環状周壁部と薄肉部の要部を示す拡大断面図である。
【図３】実施例１のキャップの断面図である。
【図４】環状周壁部に押圧部を嵌合する状態を示す要部断面図である。
【図５】切離し用突起部を切り離す前のキャップを嵌着したバイアル瓶の断面図である。
【図６】切離し用突起部を切り離した状態の部分断面図である。
【図７】実施例２のキャップの断面図である。
【図８】同環状周壁部と薄肉部の要部を示す拡大断面図である。
【図９】実施例３のキャップの断面図である。
【図１０】同環状周壁部と薄肉部の要部を示す拡大断面図である。
【図１１】実施例４のキャップの底面図である。
【図１２】図１１のＡ−Ａ線断面図である。
【図１３】下方突部の異なる実施例を示す断面図である。
【発明を実施するための形態】
【０００８】  この発明は、切離し用突起部が、金属製のキャップ本体に一体形成された環状周壁部と、着色された樹脂製の押圧部との組み合わせからなっているので、容器の色彩による識別を確実に行えると共に、押圧部に下方突部を一体成形するので成形しやすく、切離し用突起部をキャップから確実に切離されることを実現した。  以下に、この発明の容器のキャップ構造をバイアル瓶のキャップ構造に適用した場合の実施例について図面を参照しながら説明する。
【実施例１】
【０００９】  実施例１のキャップ１は、バイアル瓶１０の開口部１１にゴムやエラストマ等の弾性を有するシール部材１２を隙間無く嵌合して密閉した前記バイアル瓶１０に冠着されるもので、前記シール部材１２の上面を覆って外嵌し固定した構造からなっている（図５参照）。【００１０】［キャップ］  キャップ１は、図１〜４に示すように、前記開口部１１を覆う平面視円形状のキャップ上壁面１Ａと、キャップ上壁面１Ａの外周に沿って垂下し、内面にバイアル瓶１０の前記開口部１１の外周壁に外嵌し固定される円柱状のキャップ周壁部１Ｂとからなる金属製のキャップ本体２と、該キャップ本体２のキャップ上壁面１Ａと組み合わせて切離し用突起部１４を形成する樹脂製の押圧部５とからなっている。【００１１】［切離し用突起部］  切離し用突起部１４（図３、図５参照）は、キャップ上壁面１Ａの一部で上向きに一体に突設されて上面が開口した環状周壁部４と、該環状周壁部４に嵌合固定される樹脂製の押圧部５とからなっている。【００１２】［環状周壁部］  前記キャップ上壁面１Ａには、その中央ないし中央位置近傍に、略筒形状の環状周壁部４が一体に形成されている。  該環状周壁部４は上面が開口４Ｃし、そのまま貫通して前記押圧部５を嵌合するための中空部４Ａが形成されている。  また、環状周壁部４の上端は、押圧部５の押圧面部６の裏面と衝合して、押圧面６ａにかかる下向きの力をキャップ本体２側に伝える衝合面４Ｂが形成されている。【００１３】  また、図示例の場合は、環状周壁部４の上端の内周面側は、開口を上方に向かって漸次大径にするテーパー面４４にして、押圧部５の挿入を容易にしている。  そして、上記環状周壁部４の開口から押圧部５を中空部４Ａに嵌合し、前記上端の衝合面４Ｂに押圧面部の底面を衝合させており、また押圧部５が環状周壁部４から抜け出ることがないように一体に連結している。【００１４】  押圧部５が環状周壁部４から抜け出ない構成としては、環状周壁部４の内壁面で押圧部の外壁面を挟圧する方法（図２、図４参照）、環状周壁部４の内壁面と押圧部の外壁面の接触する面に凹凸係合する段部を設けて係合させる方法（図８参照）、前記接触面を接着剤などで接着する（蒸着・溶着を含む）方法（図示せず）、固定具で両者を固着する方法（図示せず）などの構成を単独で、あるいは複数を組合わせて用いてもよい。【００１５】  本実施例では、図４に明瞭なように、環状周壁部４は、上部４１の内径が押圧部５の押圧本体部７の外径より小さく（径を短く）設定されており、上部４１の内壁面と接する押圧本体部７の外壁面を挟圧するようになっている。  また、周壁面の下部４２の内径は上部４１の内径より長く拡開しており、前記上部４１の内壁面を通過した押圧本体部７の下部が収縮状態から弾性復帰して収納しうるようになっているので、本実施例の環状周壁部４は、一種のアリ溝構造となっている。【００１６】  これにより、押圧部５を環状周壁部４の開口から強く押し込んで、押圧本体部７を弾性で横幅方向に圧縮して環状周壁部４の中空内に嵌合し、上部４１の内壁面により押圧部５の外壁面を挟圧することで、強固に連結することができる。  更に、本実施例では、上部４１の内壁面を通過した押圧本体部���の下部は下部４２の内壁面により縮小状態から復帰して拡大されるので、押圧本体部７は前記上部４１の内壁面による挟圧と下部４２による復元とによって緊締することができる。【００１７】［薄肉部］  前記環状周壁部４は、その基部に切り離しガイド用の薄肉部３が形成されており、該薄肉部３を介してキャップ上壁面１Ａと一体に形成されている。  この薄肉部３は、本実施例では、切離し用突起部１４の外周壁の下部と接した位置で環状に形成された溝からなっている。  薄肉部３は、環状周壁部４の下部４２の外周面に接する個所がキャップ上壁面１Ａで肉厚を最も薄くした最薄部３ａとなっており、該最薄部３ａ向かって外方から漸次薄肉となるように断面傾斜状に切り欠かれている。【００１８】  従って、切離し用突起部１４の押圧面６ａを下向きに押圧すると、最も脆弱な最薄部３ａに亀裂が生じて前記環状周壁部４の下部４２と切り離されるので、前記下部４２の下端にはフランジやフランジ状に延びるバリなどが形成することがない。  本実施例では、薄肉部３はキャップ上壁面１Ａの上面側が窪む溝として形成されているが、底面側が窪む溝、あるいは上面と底面の双方が窪む溝状に形成されるものでもよい。【００１９】  本実施例で薄肉部３は、キャップ上壁面１Ａの厚みより薄肉にした基部薄肉部３１と、該基部薄肉部３１を介して切離し用突起部１４の周壁面の下部４２の外周面下端側に向かって漸次薄肉となる薄肉部本体３０とからなっており、最も薄肉となって前記外周壁の下部と接する最薄部３ａが薄肉部本体３０の先端となるように形成されて切り取りが確実に行えるようにしている。  この発明で薄肉部３の構成は、断面Ｖ字状やＵ字状の溝、その他公知の溝形状や、ミシン目のような構造でもよい。【００２０】  このように構成されているので、キャップ上壁面１Ａに形成された薄肉部３に沿って切り離された切離し用突起部１４によって開口２（図６参照）が形成されると、薄肉部３によって切り離された環状周壁部４の下端は下向きとなっており、略水平に延びるキャップ上壁面１Ａの前記開口２の口縁部とは互いに交差する方向になる。  従って、押圧部５に加わるシール部材１２の反発力により上昇する切離し用突起部１４の下端縁部が前記開口２の口縁部の下に入り込む虞れがなく、切り離された切離し用突起部１４は、支障なくシール部材１２上に浮き上がり、容易に取り除くことができる。【００２１】[押圧部]  押圧部５は、所定の色に着色された合成樹脂材からなっており、上面に押圧面６ａを有し、裏面６ｂが環状周壁部４の上端の衝合面４Ｂに掛け止められると共に、押圧力を受けるための厚みと強度を備えた押圧面部７と、該押圧面部７に連接し前記環状周壁部４の中空部４Ａに嵌合される押圧本体部７と、該押圧本体部７の下方に設けられて、バイアル瓶１０にキャップ１を装着した際に、シール部材１２を反発可能に押圧する下方突部８とからなっている。【００２２】［押圧面部］  本実施例では、押圧面部６は、その外周が環状周壁部４の外周と一致するように形成されているが、この発明では後述のように、環状周壁部４の外周より大きく形成されるものでもよい。【００２３】  押圧面部６の頂面となる押圧面６ａは、図示例では水平面からなって��るが、一方に傾く傾斜面、その他の任意の形状としてもよい。  また、素材が合成樹脂であるので、押圧面６ａには、梨地、凹凸、波形などの滑り止め用の表面加工を施してもよい。【００２４】［押圧本体部］  押圧本体部７は、無垢のブロックでもよいし、図３に示すように中央に空間７ａを設けて横方向の弾性を備えた可撓性を高める筒状体であってもよい。  押圧本体部７は、環状周壁部４とほぼ同じ長さからなっており、前述のように環状周壁部４の内壁面によって挟圧される。  押圧本体部７が筒状体の場合、無垢材に比べて強度が低下するので、中空部分に十字状や放射状に掛け渡される補強桟（図示省略）を一体に設けてもよい。  図示例では筒状体の肉厚を厚くすることで強度を保持している。【００２５】［下方突部］  下方突部８は、押圧本体部７の底部に一体に形成される。  即ち、本実施例では、押圧本体部７は前記押圧本体部材７の環状の周壁部を超えて下方に突出する部分が下方突部８となる。  下方突部８は、本実施例では、押圧本体部７を延長方向に延出して形成されているので、前述のように環状周壁部４を超えて下方に突出する部分が下方突部８となる。【００２６】  この発明で、下方突部８は、筒状に限らず、筒体を外周方向に沿って隙間を介して複数に分断し、複数の横断面円弧状とした突部形状（後述の図１１、１２参照）、または半球体（図１３参照）などの任意の立体形状などでもよく、バイアル瓶１０に嵌着されたシール部材１２を反発可能に押圧して、切離された際に、反発力で切離し用突起部１４を上向きに押し上げさせるものであればよい。【００２７】  これにより、押圧部５の押圧本体部７を環状周壁部４の中空部４Ａに押し込んで一体に連結して切離し用突起部１４を形成し、このキャップ１をバイアル瓶１０に冠着する（図５参照）。  本実施例では、キャップ１の成形に際して、薄肉部３の位置を押圧面部６の外周よりも外側位置に設定しているので、上記押圧部５を環状周壁部４に装着した後に、加工装置を用いて薄肉部成形個所を下から支持し上から切削して薄肉部３の成形を行うことができる。【００２８】  即ち、押圧部５の装着前に、薄肉部３を成形した場合には、成形後に環状周壁部４に押圧部５を押し込むことになるので、押圧部５を押し込む際にかかる荷重で薄肉部３が破断したり亀裂が生じるおそれがあるが、そのような不具合を解消することができる。  本実施例では、環状周壁部４の下部４２は、上部４１より大きくなるように外向きに拡開したテーパー状となっているので、アリ溝状になると共に、薄肉部３の位置を押圧部５の外周の真下よりも外側に配置することができ、好ましい。【００２９】  このように完成されたバイアル瓶１０は、切離し用突起部１４の押圧面６を押し下げることで、環状周壁部４を介して薄肉部３の最薄部３ａを破断し、切離し用突起部１４をキャップ１のキャップ上壁面１Ａから分離することができる（図６参照）。【００３０】  分離された切離し用突起部１４は、シール部材１２の弾性力によってシール部材１２上に持ち上げられ、キャップ１から確実に取り外すことでき、キャップ１に開口部１１を形成することができる。  また、押圧部５は、全部又は少なくとも押圧面部６を着色しておくことで、バイアル瓶１０の充填液を識別するための識別子として用いることができ、金属製のキャップに塗料を塗布した場合に比して、色彩が剥げたり、変色したりすることがない。
【実施例２】
【００３１】  図７〜８に示すキャップ１は、薄肉部３の位置をキャップ上壁面１Ａの裏面に形成した異なる実施例である。  即ち、この薄肉部３は、その形成箇所がキャップ上壁面１Ａの表面側か裏面側かの相違だけで、薄肉部３の構成は前記実施例と同様であり、キャップ上壁面１Ａの厚みより薄肉にした基部薄肉部３１と、該基部薄肉部３１を介して切離し用突起部１４の周壁の下部４２の下端側に向かって漸次薄肉となる薄肉部本体３０とからなっており、最も薄肉となって前記外周壁の下部と接する最薄部３ａが薄肉部本体３０の先端となるように形成されている。  この場合も、加工装置を用いて薄肉部成形個所を上から支持し下から切削して薄肉部３の成形を行うことができる。【００３２】  また、本実施例の環状周壁部４は、内壁面に１又は複数の係合段部を設けている。  即ち、環状周壁部４の内壁面には、上端よりやや下方となる上方位置に、内壁面を上端部分より僅かに薄くした第１段部６１を形成し、その下方位置に、内壁面を更に僅かに薄くした第２段部６２を形成している。【００３３】  押圧部５の押圧本体部７の外周面は平坦面からなっており、押圧部５を環状周壁部４に押し込む際に、前記第１段部６１、第２段部６２が押圧本体部７に食い込んで、係合力により押圧部５が環状周壁部４によって係止される。  この発明では、押圧本体部７の外周面側にも上記段部６１、６２に隙間無く係合するように対応した段部を形成しておいてもよい。  このように、本実施例では、係合力またはこれに加えて挟圧力によって押圧部５を環状周壁部４に連結している。  その他の構成は前記実施例１と同様であるので、その説明を省略する。
【実施例３】
【００３４】  図９〜１０に示すキャップ１は、押圧部５の押圧面部６の外周を薄肉部３の位置より外側に延出した異なる実施例である。  本実施例では、押圧面部６が大径となり押圧面６ａが広く、押圧しやすい形状となっているが、その他の構成は前記実施例と同様であるので、その説明を省略する。【００３５】  この場合、薄肉部３の成形に際しては、真上から加工装置を降ろして薄肉部３を加工することができないが、押圧面部６を避けた下方位置から環状周壁部４を挟むように移動させて薄肉部３を整形することができる。  その他の構成は前記実施例と同様であるので、その説明を省略する。  本実施例で、薄肉部３は実施例２のようにキャップ上壁面１Ａの裏面に形成してもよい。
【実施例４】
【００３６】  図１１〜１２に示すキャップ１は、下方突部８の異なる実施例である。  前述のように、下方突部８の形状は問わず、本実施例では、筒体を外周方向に沿って隙間を介して等間隔に３つに分断し、３つの横断面円弧状の突部形状としている。  また、図１３に示すように、押圧本体部７を無垢のブロックとし、その底面に先端を球面状とした突部を複数設けたものでもよい。  この発明は上記実施例に限定されるものではなく、その発明の要旨を変更しない範囲で種々設計変更しうる。
【産業上の利用可能性】
【００３７】  この発明は、バイアル瓶のキャップに限らず、シール部材で密閉された各種用途の容器のキャップ構造として適用できる。
【符号の説明】
【００３８】  １    キャップ  １Ａ  キャップ上壁面  １Ｂ  キャップ周壁部      ２    キャップ本体  ２ａ  開口  ３    薄肉部  ３ａ  最薄部  ４    環状周壁部  ４Ａ  中空部  ４Ｂ  衝合面  ５    押圧部  ６    押圧面部  ６ａ  押圧面  ６ｂ  裏面  ７    押圧本体部  ８    下方突部１０    バイアル瓶１１    開口部１２    シール部材１４    切離し用突起部３０    薄肉部本３１    基部薄肉部４１    周壁面の上部４２    周壁面の下部６１    第１段部６２    第２段部
【図１】
2015037156.tif 000003
【図２】
2015037156.tif 000004
【図３】
2015037156.tif 000005
【図４】
2015037156.tif 000006
【図５】
2015037156.tif 000007
【図６】
2015037156.tif 000008
【図７】
2015037156.tif 000009
【図８】
2015037156.tif 000010
【図９】
2015037156.tif 000011
【図１０】
2015037156.tif 000012
【図１１】
2015037156.tif 000013
【図１２】
2015037156.tif 000014
【図１３】
2015037156.tif 000015
【国際調査報告】
2015037156.tif 000016
2015037156.tif 000017
2015037156.tif 000018
2015037156.tif 000019